(57)【要約】【要  約】【課  題】収納と運搬が容易であり、取出しと運搬も迅速に進められ、仮置き状態での  安定性に優れた汚染物質格納容器および該容器の格納構造を提供することを目的とする。【解決手段】底版部４と側板部５が継ぎ目なく一体で形成された上方に開口部２を有する容器本体３と、前記底版部の下面四隅に脚部６を備えるとゝもに、前記開口部を閉塞する蓋体７とを備え、該蓋体を前記開口部にパッキング１２を介してボルト１０で固定する構成としたボックス型の汚染物質収納容器。【選択図】  図２
0003176278.tif 000002
【実用新案登録請求の範囲】
【請求項１】
上方に開口部を有するプレキャストコンクリート製ボックス型の容器本体と、前記開口部を閉塞するプレキャストコンクリート製版状の蓋体からなる汚染物質収納容器であって、前記容器本体は矩形状の底版部とその四辺から立設する側板部が継ぎ目なく一体で形成されているとゝもに、前記底版部の下面四隅には脚部を備え、前記開口部の上面四隅にはインサートが埋め込まれている一方、前記蓋体の四隅にはボルトを挿入するための貫通孔が設けられ、前記蓋体の上方から前記貫通孔内に挿入したボルトを前記インサートに螺合せしめ締め付けることで、前記蓋体を前記容器本体の開口部に固定する構成としたことを特徴とする汚染物質収納容器。
【請求項２】
前記蓋体の上面四隅に、上に積み上げる前記汚染物質収納容器の脚部下端と係合する凹部が設けられていることを特徴とする請求項１記載の汚染物質収納容器。
【請求項３】
前記容器本体の開口部上面に、開口部に沿って環状に配設したパッキンを備えたことを特徴とする請求項１又は２記載の汚染物質収納容器。
【請求項４】
前記蓋体の上面に、該蓋体又は前記汚染物質収納容器の吊り用フックを設けたことを特徴とする請求項１乃至３記載の汚染物質収納容器。
【請求項５】
前記容器本体の開口部上面に、前記容器本体の吊り用アンカーを埋設したことを特徴とする請求項１乃至４記載の汚染物質収納容器。
【請求項６】
プレキャストコンクリート製のＬ型の擁壁部材を複数並べ、その立設部で平面視が矩形状の閉じられた内部空間を形成する側壁構成部と、現場打ちコンクリート又はプレキャスト版からなる前記内部空間の底壁の一部を形成する底壁構成部と、前記内部空間の上方開口部を閉塞する複数のプレキャスト版からなる天版構成部で構成した請求項１乃至５記載の汚染物質収納容器を一段又は複数段積み上げて格納する格納庫であって、前記底壁構成部の上面及び前記擁壁部材の水平部上面に、前記汚染物質収納容器の脚部下端が嵌合する嵌合凹部が形成されていることを特徴とする汚染物質収納容器の格納庫。
【請求項７】
前記側壁構成部の対向する立設部の上面に、複数個並べて配設した前記天版構成部の両端部をそれぞれ載置して横架するとゝもに、前記天版構成部をその両端部で前記側壁構成部の立設部上面に固定することで、前記格納庫の上方開口部を前記天版構成部で閉塞する構成としたことを特徴とする請求項６記載の汚染物質収納容器の格納庫。
【請求項８】
前記天版構成部の両端部に於ける前記側壁構成部の立設部上面への固定が、前記立設部上面に形成された前記天版構成部の両端部をそれぞれ位置決めする段部と、該段部の水平部に埋設されたインサートと、前記天版構成部の両端部に形成されたボルトを挿入するための貫通孔とからなり、該貫通孔に前記天版構成部の上方から挿入したボルトを前記インサートに螺合し締め付けて固定する構成としたことを特徴とする請求項６又は７記載の汚染物質収納容器の格納庫。
【考案の詳細な説明】
【技術分野】
【０００１】
本考案は、放射能汚染物質などの有害物質を収納する汚染物質収納容器と、これら汚染物質収納容器を多数格納するための格納庫に関する。
【背景技術】
【０００２】
放射能汚染物質をある場所に仮置きする場合、この汚染物質をできるかぎり迅速にかつ効率的に収納する必要がある。その場合、大型の土嚢袋であるトンパックに袋詰めした放射能汚染物質を、一定の低い放射線量とすべく収納容器に収納して搬送可能な状態とした後、あらかじめ敷地内に組み立てられた仕切壁等によって囲まれた場所に格納することで、連続的にかつ機械的に放射能を人身から遮断することが考えられる。これは、仮置き場から処分場に再度移動する場合にも当てはまり、放射能汚染物質を迅速に収納・運搬が可能な構造物である必要がある。
【０００３】
放射性物質含有土を一時保管する構造体として、例えば実用新案登録第３１７１０４６号では、放射性物質含有土を集積してなる土層を、複数のプレキャスト擁壁からなる周壁と、前記土層の下面，側面および上面に沿って形成された遮水層と、前記土層の上面に沿って形成された遮水層の上に覆設された放射線遮蔽体とにより取り囲む構造である放射能汚染物質の一時保管構造が記載されている。
【先行技術文献】
【特許文献】
【０００４】
【特許文献１】実用新案登録第３１７１０４６号公報
【０００５】
しかし、実用新案登録第３１７１０４６号に記載された一時保管構造では、放射線遮蔽体を放射性物質含有土の上面に覆設しているため収納までに時間を要する。また、一時保管した放射性物質含有土を後に最終処分場に運ぶまでの作業に多くの時間を要するため効率的ではない。更に、上記作業に多くの時間を要する場合は、作業員の健康を損なうおそれがある。
【考案の概要】
【考案が解決しようとする課題】
【０００６】
本考案は、上記の課題を克服するため、収納と運搬が容易であり、取出しと運搬も迅速に進められ、仮置き状態での安定性に優れた汚染物質収納容器及びこの収納容器の格納庫を提供することを課題としている。
【課題を解決するための手段】
【０００７】
上記の課題を解決する請求項１に記載の本考案によれば、上方に開口部を有するプレキャストコンクリート製ボックス型の容器本体と、前記開口部を閉塞するプレキャストコンクリート製の蓋体からなる汚染物質収納容器であって、前記容器本体は矩形状の底版部とその四辺から立設する側板部が継ぎ目なく一体で形成されているとゝもに、前記底版部の下面四隅には脚部を備え、前記容器本体の開口部の上面四隅にはインサートが埋め込まれている一方、前記蓋体の四隅にはボルトを挿入するための貫通孔が設けられ、前記蓋体の上方から前記貫通孔内に挿入したボルトを前記インサートに螺合せしめ締め付けることで、前記蓋体を前記容器本体の開口部に固定する構成としたことを特徴とする。
【０００８】
また、上記の課題を解決するため、請求項２に記載の本考案では、前記蓋体の上面の四隅に、上に積み上げる前記汚染物質収納容器の脚部下端と係合する嵌合凹部が設けられていることを特徴とする。そして、請求項３に記載の本考案では、前記容器本体の開口部上面に、開口部に沿った環状のパッキンを設置したことを特徴とする。
【０００９】
更に、上記の課題を解決するため、請求項４に記載の本考案では、前記蓋体の上面に、該蓋体又は前記汚染物質収納容器の吊り用フックを設けたことを特徴とし、請求項５に記載の本考案では、前記容器本体の開口部上面に、前記容器本体の吊り用アンカーを埋設したことを特徴とする。
【００１０】
そして、請求項６乃至８に記載の考案は、前記請求項１乃至５に記載の汚染物質収納容器を格納する格納庫に係るもので、請求項６に記載の考案では、断面Ｌ型のプレキャストコンクリート製の擁壁部材を複数並べ、その立設部で平面視が矩形状の内部空間を形成する側壁構成部と、現場打ちコンクリート又はプレキャスト版からなる前記内部空間の底壁の一部を形成する底壁構成部と、前記内部空間の上方開口部を閉塞する複数のプレキャスト版からなる天版構成部で構成した請求項１乃至５記載の汚染物質収納容器を一段又は複数段積み上げて格納する格納庫であって、前記底壁構成部の上面及び前記擁壁部材の水平部上面に、前記汚染物質収納容器の脚部下端が嵌合する嵌合凹部が形成されていることを特徴とする。
【００１１】
また、請求項７に記載の考案では、前記側壁構成部の対向する立設部の上面に、複数個並べて配設した前記天版構成部の両端部をそれぞれ載置して横架するとゝもに、前記天版構成部をその両端部で前記立設部の上面に固定することで、前記格納庫の上方開口部を前記天版構成部で閉塞する構成としたことを特徴とするものであり、そして、請求項８記載の考案では、前記天版構成部の両端部に於ける前記側壁構成部の立設部上面への固定が、前記立設部上面に形成された前記天版構成部の両端部をそれぞれ位置決めする段部と、該段部の水平部に埋設されたインサートと、前記天版構成部の両端部に形成されたボルトを挿入するための貫通孔とからなり、該貫通孔に前記天版構成部の上方から挿入したボルトを前記インサートに螺合し締め付けて固定する構成としたことを特徴とする。
【考案の効果】
【００１２】
本考案の請求項１乃至５に係る汚染物質収納容器では、放射能汚染物質が詰められた大型の土嚢袋等を１個または複数個詰めることが可能であるとともに、容器本体に固定が容易な蓋体を閉めた状態で運搬できるため、収納と運搬が極めて迅速に進行できる。
【００１３】
また、本考案の請求項２に係る汚染物質収納容器では、前記蓋体の上面四隅に前記汚染物質収納容器の脚部下端と係合する凹部が設けられているので、仮置きする際に前記汚染物質収納容器の段積みが容易であるとゝもに、安定性が良く地震等があっても荷崩れしにくい。
【００１４】
また、本考案の請求項３に係る汚染物質収納容器では、前記開口部の上面に、開口部に沿った環状のパッキンを備えているため、容器本体と蓋体との密封性が高くなり放射線量の開口部からの漏出を低下させることができるとゝもに、万が一、汚染物質収納容器が転倒した場合であっても汚染物質の漏出を確実に防止することができる。
【００１５】
また、本考案の請求項４及び５に係る汚染物質収納容器では、重量のある蓋体を吊り上げて容器本体の開口部に設置する際、或いは容器本体内に汚染物質を収納してその開口部を蓋体で閉塞したものを搬送・移動する際、更には容器本体を搬送・移動する際に、それぞれに埋設した吊り用アンカーに吊り金具を設置することで容易に対応できる。
【００１６】
そして、本考案の請求項６に係る汚染物質収納容器の格納庫は、断面Ｌ型のプレキャストコンクリート製の複数の擁壁部材からなる擁壁構成部と、該擁壁構成部で囲まれた内部空間の底壁を形成する底壁構成部と、前記内部空間の上方開口部を閉塞する複数の天版からなる天版構成部で形成され、前記底壁構成部の上面及び前記擁壁部材の水平部上面に前記汚染物質収納容器の脚部下端が嵌合する嵌合凹部が形成されているため、前記容器は安定した状態で格納可能である。
【００１７】
また上記格納庫はＬ型の擁壁部材等を並べて形成するだけであるため、組み立て及び解体が容易である。更に、擁壁構成部の起立部の頂部に上載される前記天版構成部の設置も容易であるため、プレハブ工法による極めて迅速に構築できる汚染物質収納容器の格納庫を提供することが可能であるといった諸効果がある。
【図面の簡単な説明】
【００１８】
【図１】本考案に係る汚染物質収納容器の全体斜視図である。
【図２】同汚染物質収納容器の半部縦断面図である。
【図３】同汚染物質収納容器の拡大部分断面図である。
【図４】同汚染物質収納容器の一部を省略した分解斜視図である。
【図５】本考案に係る格納庫の全体斜視図で、前記汚染物質収納容器を格納し天版構成部の一部を省略して示す図である。
【図６】図５の横断面拡大部分図である。
【図７】図６のＡ部の拡大断面部分図である。
【図８】図６のＢ部の拡大断面部分図である。
【図９】本考案に係る格納庫の各構成部材の斜視図である。
【考案を実施するための形態】
【００１９】
以下、本考案を図面に示す実施例により詳細に説明する。図において、１は本考案に係る汚染物質収納容器で、上方に開口部２を有するプレキャストコンクリート製のボックス型の容器本体３と、前記開口部２を閉塞するコンクリート製のプレキャスト版からなる蓋体７とから構成されている。
【００２０】
前記容器本体３は、矩形状の底版部４と、その四辺から垂直に立ち上がる側板部５が継ぎ目なく一体で形成されているとゝもに、前記底版部４の下面四隅には脚部６が下方へ向け突出している。８は前記容器本体３にあって、その開口部２の上面四隅に埋め込まれたインサートで、前記蓋体７の四隅に設けた貫通孔９に、前記蓋体７の上方からボルト１０を挿入して前記インサート８に螺合せしめてこれを締め付けることで、前記蓋体７を前記容器本体３の開口部２に固定して閉じる構成としている。
【００２１】
１１は前記蓋体７の上面にあってその四隅に設けた凹部で、前記貫通孔９の上方開口縁と連続する上方部分に形成されており、前記汚染物質収納容器１の上に容器本体３を或いは汚染物質収納容器１を更に積み上げる際に、その脚部６の下端が前記凹部１１内に嵌まって位置決めがなされる構造としている。１２は前記容器本体３の開口部２上面に設けたパッキングで、前記開口部２に沿って環状に形成した凹溝１３内に設置されている。
【００２２】
１４は前記蓋体７の上面に設けた吊り用フックで、前記蓋体７を単独で或いは前記汚染物質収納容器１全体をクレーン等で吊り上げる際に使用するものであり、１５は前記容器本体３を単独でクレーン等で吊り上げる場合に使用する吊り用フック（図示せず）を装着するために、前記側板部５の上面に埋設したアンカーである。
【００２３】
１６は前記汚染物質収納容器１を格納するための格納庫で、プレキャストコンクリート製のＬ型の擁壁部材１７ー１を複数個並べ、その立設部１７Ａで平面視が矩形状の閉じられた内部空間Ｓを形成する外側壁構成部１８ー１と、前記擁壁部材１７ー１の水平部１７Ｂおよび現場打ちコンクリート又はプレキャスト版１７Ｃからなる前記内部空間Ｓ1 の底壁を形成する底壁構成部１９と、前記閉じられた内部空間Ｓの上方開口部２０を閉塞する複数のプレキャスト版２１Ａからなる天版構成部２１とから構成されており、前記擁壁部材１７ー１の水平部１７Ｂおよび現場打ちコンクリート又はプレキャスト版１７Ｃからなる底壁構成部１９の上面には、前記容器本体３の脚部６下端が嵌合する嵌合凹部２２が形成されている。
【００２４】
２３は前記外側壁構成部１８ー１の上面に形成した係り止用の段部で、外壁形成用のＬ型の擁壁部材１７ー１を複数並べて外側壁構成部１８ー１を形成する場合にあっては、図７に示すように、前記係り止用の段部２３は内部空間Ｓと対向する側にのみ形成されており、図８に示すように、中壁形成用のＬ型の擁壁部材１７ー２を複数並べて内側壁構成部１８ー２を形成する場合にあっては、前記係り止用の段部２３は内部空間Ｓと対向する両側に突起部２３Ａを挟んでその両側にそれぞれ形成されている。
【００２５】
外壁構成用の外側壁構成部１８ー１の係り止用の段部２３と中壁形成用の内側壁構成部１８ー２の係り止用の段部２３，２３に前記天版構成部２１の両端部２１Ｂ，２１Ｂをそれぞれ載置し、その先端を前記係り止用の段部２３の突起部２３Ａに当接させることで位置決めがなされ、前記天版構成部２１を前記外側壁構成部１８ー１と内側壁構成部１８ー２及び内側壁構成部１８ー２と外側壁構成部１８ー１との間に跨がって横架せしめることで、前記内部空間Ｓ（Ｓ1 ，Ｓ2 ）の上方開口部２０を閉塞する。
【００２６】
２４は前記内外側壁構成部１８ー１，１８ー２の係り止め用の段部２３にあってその水平部に埋め込まれたインサートで、前記天版構成部２１の端部２１Ｂに形成した貫通孔２５に上方から挿入したボルト２６を螺合せしめ、該ボルト２６を締め付けることで前記天版構成部２１を前記格納庫１６の上方開口部２０に固定する構造としたものである。
【００２７】
次に、本考案に係る汚染物質収納容器１内に、放射能等で汚染された汚染物質を収納する方法について説明する。まず、汚染物質の入ったトンパックＴ等をクレーン等を使って吊り上げ、容器本体３内にその開口部２からトンパックＴを入れる。つぎに、フォークリフトやクレーンを使って蓋体７を吊り用フック１４を介して吊り上げ、容器本体３の開口部２上面に載置する。このとき、容器本体３の開口部２上面と蓋体７の下面とは、前記容器本体３の開口部２上面に埋め込まれたパッキング１２を介して密着状態に載置される。
【００２８】
その後、前記蓋体７の貫通孔９と容器本体３の開口部２に埋設したインサート８とを合致させ、前記蓋体７の上方からアンカープレート２７を介してボルト１０を挿入し、前記インサート８と螺合せしめこれを締め付けることで、蓋体７を容器本体３の開口部２に密着状態に固定する。そして、この汚染物質収納容器１をフォークリフトやクレーンにより仮置き場に構築した格納庫１６まで搬送する。
【００２９】
他方、前記格納庫１６は、外壁形成用の擁壁部材１７ー１を複数並べて外側壁構成部１８ー１を形成した１列目と３列目および前記１列目と３列目から所定の間隔をおいて中間に配設した内壁形成用の擁壁部材１７ー２を複数並べて形成した２列目の内側壁構成部１８ー２と、前記平行な２つの内部空間Ｓ1 ，Ｓ2 の両端開口部を塞ぐように配設した前記外壁形成用のＬ型擁壁部材１７ー１を前記とは逆向きに複数並べて形成した外側壁構成部１８ー３，１８ー３を配設するとゝもに、前記外側壁構成部１８ー１，１８ー１とで四方を囲んだ矩形状の構築物の上方開口部２０を前記天版構成部２１で閉塞してなる構成のものである。
【００３０】
前記外側壁構成部１８ー１，１８ー３で四方を囲み、更にその内部を内側壁構成部１８ー２で区画した矩形状の構築物の上方開口部２０を前記天版構成部２１で閉塞するに際しては、対向する外側壁構成部１８ー１と内側壁構成部１８ー２のそれぞれの係り止用の段部２３，２３に前記天版構成部２１の両端部２１Ａ，２１Ａをそれぞれ載置し、その先端を前記係り止用の段部２３の突起部２３Ａに当接させることで位置決めがなされ、前記天版構成部２１を前記外側壁構成部１８ー１と内側壁構成部１８ー２間に跨がって横架せしめることで、前記内部空間Ｓの上方開口部２０を閉塞する。
【００３１】
そして、前記格納庫１６の高さが２５００ｍｍ以上と比較的大きいものにあっては、前記平行な２つの内部空間Ｓ1 ，Ｓ2 の両端開口部を塞ぐように配設した前記外壁形成用のＬ型擁壁部材１７ー３の一つを外して入口を形成し、汚染物質収納容器１を脚部６，６間に挿入したフォークリフトで持ち上げながら前記入口から内部空間Ｓ内に入り、前記底壁構成部１９の上面および前記Ｌ型擁壁部材１７ー１の水平部１７Ｂの上面に形成した嵌合凹部２２に汚染物質収納容器１の脚部６を嵌合させた状態で降ろす。
【００３２】
或いは、汚染物質収納容器１の上に他の汚染物質収納容器１を載せ、一段目の汚染物質収納容器１の蓋体７の四隅部上面に形成した凹部１１内に弍段目の汚染物質収納容器１の脚部６を係合させた二段に重ねの状態て格納することで、汚染物質を収納した汚染物質収納容器１を安定した状態で多数格納庫１６内に格納する。
【符号の説明】
【００３３】
１  汚染物質収納容器
２  開口部
３  容器本体
４  底版部
５  側板部
６  脚部
７  蓋体
８  インサート
９  貫通孔
１０  ボルト
１１  凹部
１２  パッキング
１３  凹溝
１４  吊り用フック
１５  アンカー
１６  格納庫
１７ー１  外壁形成用のＬ型擁壁部材
１７ー２  内壁形成用のＬ型擁壁部材
１７Ａ  立設部
１７Ｂ  水平部
１８ー１  外側壁構成部
１８ー２  内側壁構成部
１９  底壁構成部
２０  上方開口部
２１  天版構成部
２１Ｂ  端部
２２  嵌合凹部
２３  係り止用段部
２３Ａ  突起部
２４  インサート
２５  貫通孔
２６  ボルト
２７  アンカープレート
２８  ボルト
【図１】
0003176278.tif 000003
【図２】
0003176278.tif 000004
【図３】
0003176278.tif 000005
【図４】
0003176278.tif 000006
【図５】
0003176278.tif 000007
【図６】
0003176278.tif 000008
【図７】
0003176278.tif 000009
【図８】
0003176278.tif 000010
【図９】
0003176278.tif 000011